(57)【特許請求の範囲】
【請求項１】
座支持フレーム上に座板を配置した椅子であって、
前記座支持フレームが、座支持フレーム本体を備えたものであり、
前記座板が、前記座支持フレーム本体に係わり合う座板端縁部を備え、
前記座板端縁部が、平面視において前記座支持フレーム本体と重なる位置に配され着座者の荷重を受けた際に前記座支持フレーム本体の外面に沿って下方に弾性変形し得る変形領域を備えたものであり、
前記座支持フレーム本体が、前記変形領域に対応する部分に曲面を有したものである椅子。
【請求項２】
前記変形領域が、他の領域よりも厚み方向に撓み易い構造をなすものである請求項１記載の椅子。
【請求項３】
前記座支持フレーム本体が、少なくとも左右に対向する側枠部材を備えたものである請求項１又は２記載の椅子。
【請求項４】
前記座板端縁部が、前記座支持フレーム本体と係合するフレーム係合領域とこのフレーム係合領域の外側に設けられた延出領域とを備えたものである請求項１、２又は３記載の椅子。
【請求項５】
前記フレーム係合領域が、前記座支持フレーム本体の外側に沿うリブを備えたものであり、前記リブの外側に前記延出領域が設けられているとともに前記リブの内側に前記変形領域が設けられている請求項４記載の椅子。
【請求項６】
環状をなす前記座支持フレーム本体を備えたものであり、
前記変形領域が、前記座支持フレーム本体に沿って環状に形成されたものである請求項１、２、３、４又は５記載の椅子。
【請求項７】
環状をなす前記座支持フレーム本体を備えたものであり、
この座支持フレーム本体が、前記変形領域に対応する部分に曲面を有したパイプ状のものである請求項１、２、３、４、５又は６記載の椅子。
【請求項８】
前記座板が、前記座板端縁部とこの座板端縁部の内側に位置する窓部とを備えた座板本体と、この座板本体の窓部に配され着座者からの荷重を受ける受圧部材とを備えたものである請求項１、２、３、４、５、６又は７記載の椅子。
【発明の詳細な説明】
【技術分野】
【０００１】
本発明は、事務用や学校用等として好適に使用される椅子に関する。
【背景技術】
【０００２】
従来から、環状ないし枠状をなした座支持フレーム上に座板を配置した椅子が知られている。この種の椅子においては、座のクッション性を向上させるべく、着座者の荷重を受けた際に座板の中央部が厚み方向に弾性変形し得るようになっているものなどが存在している（例えば特許文献１参照）。
【０００３】
座板は、座支持フレームよりも内側の領域において厚み方向への弾性変形を促進するための構造を備えているものがほとんどである。このため、従来の椅子は、座板における弾性変形可能な領域が、座支持フレームよりも内側の部位に限定されたものとなっており、座板の広い範囲に亘って弾性変形を促すための設計の自由度が制約されるものとなっていた。
【先行技術文献】
【特許文献】
【０００４】
【特許文献１】実用新案登録第３１９２３１８号公報
【発明の概要】
【発明が解決しようとする課題】
【０００５】
本発明は、以上のような事情に着目してなされたもので、座板における広い範囲に亘って弾性変形を促すための設計の自由度に優れた椅子を提供することにある。
【課題を解決するための手段】
【０００６】
すなわち、本発明は次の構成をなしている。
【０００７】
請求項１に記載の椅子は、座支持フレーム上に座板を配置した椅子であって、前記座支持フレームが、座支持フレーム本体を備えたものであり、前記座板が、前記座支持フレーム本体に係わり合う座板端縁部を備え、前記座板端縁部が、平面視において前記座支持フレーム本体と重なる位置に配され着座者の荷重を受けた際に前記座支持フレーム本体の外面に沿って下方に弾性変形し得る変形領域を備えたものであり、前記座支持フレーム本体が、前記変形領域に対応する部分に曲面を有したものである。
【０００８】
ここで、「座板」とは、単一の部材のものに限られず、複数の部材によって一体的に構成されたものを含んだ概念である。「座板」とは、全体的にみて板状のものであればよく、例えば、部分的にシート状の部分を備えているものであってもよい。
【０００９】
請求項２に記載の椅子は、請求項１記載の構成において、前記変形領域が、他の領域よりも厚み方向に撓み易い構造をなすものである。
【００１０】
請求項３に記載の椅子は、請求項１又は２記載の構成において、前記座支持フレーム本体が、少なくとも左右に対向する側枠部材を備えたものである
【００１１】
請求項４に記載の椅子は、請求項１、２又は３記載の構成において、前記座板端縁部が、前記座支持フレーム本体と係合するフレーム係合領域とこのフレーム係合領域の外側に設けられた延出領域とを備えたものである。
【００１２】
請求項５に記載の椅子は、請求項４記載の構成において、前記フレーム係合領域が、前記座支持フレーム本体の外側に沿うリブを備えたものであり、前記リブの外側に前記延出領域が設けられているとともに前記リブの内側に前記変形領域が設けられているものである。
【００１３】
請求項６に記載の椅子は、請求項１、２、３、４又は５記載の構成において、環状をなす前記座支持フレーム本体を備えたものであり、前記変形領域が、前記座支持フレーム本体に沿って環状に形成されたものである。
【００１４】
請求項７に記載の椅子は、請求項１、２、３、４、５又は６記載の構成において、環状をなす前記座支持フレーム本体を備えたものであり、この座支持フレーム本体が、前記変形領域に対応する部分に曲面を有したパイプ状のものである。
【００１５】
請求項８に記載の椅子は、請求項１、２、３、４、５、６又は７記載の構成において、前記座板が、前記座板端縁部とこの座板端縁部の内側に位置する窓部とを備えた座板本体と、この座板本体の窓部に配され着座者からの荷重を受ける受圧部材とを備えたものである。
【発明の効果】
【００１６】
以上説明したように本発明によれば、座板における広い範囲に亘って弾性変形を促すための設計の自由度に優れた椅子を提供することができる。
【図面の簡単な説明】
【００１７】
【図１】本発明の一実施形態を示す斜視図。
【図２】同実施形態における正面図。
【図３】同実施形態における右側面図。
【図４】同実施形態における平面図。
【図５】同実施形態における背面図。
【図６】同実施形態における底面図。
【図７】同実施形態におけるスタッキング状態を示す右側面図。
【図８】図２におけるＡ−Ａ線断面図。
【図９】同実施形態における分解斜視図。
【図１０】座板を説明するための底面図。
【図１１】座板を説明するための平面図。
【発明を実施するための形態】
【００１８】
以下、本発明の一実施形態を、図１〜１１を参照して説明する。なお、図１１では、座板４２の説明の便宜のため、被覆部材４３を省略したものを示している。
【００１９】
この実施形態は、本発明を前後方向にネスティング可能な椅子Ｃ、換言すれば水平方向にスタッキング可能な椅子Ｃに適用したものである。椅子Ｃは、図７に具体的に示すように、座４を跳ね上げ位置（Ｈ）に保持した状態で同一構造をなす他の椅子Ｃ’と前後方向にネスティングし得るように構成されているものである。
【００２０】
椅子Ｃは、椅子本体たる脚フレーム１に支持体である肘掛け２を介して背凭れ３を支持させるとともに前記脚フレーム１に対して座４を使用位置（Ｕ）と跳ね上げ位置（Ｈ）との間で回動可能に支持させている。すなわち、前記座４が使用位置（Ｕ）にある状態で、当該座４が直接的に前記脚フレーム１に支持されて略水平をなすように位置決めされている。
【００２１】
以下、この椅子Ｃについて詳述する。
【００２２】
椅子本体である脚フレーム１は、金属製のパイプ材を主体に構成されたものである。脚フレーム１は、下端にキャスタ１１１を有した左右の後脚１１と、下端にキャスタ１２１を有するとともに上端を前記左右の後脚１１の上部に接続した左右の前脚１２と、これら左右の前脚１２の中間部同士を繋ぐ連結部材たる第一の横架材１３と、この第一の横架材１３よりも後側の位置において前記左右の前脚１２同士を繋ぐ第二の横架材１４とを備えてなる。
【００２３】
左右の後脚１１は、上部側が下部側よりも前側に位置するように前傾した態様で上下方向に延びてなるものであり、その上部は肘掛け２及び背凭れ３を支持するための肘掛け２及び背凭れ３用支持フレームとしての役割を担っている。後脚１１の上端部には、背板３１と一体に形成された肘掛け２が装着されるようになっている。後脚１１は、上端部に細径をなす柱状の芯材である肘掛け接続部１１２を備えており、この肘掛け接続部１１２に後述する肘掛け２の取付部２３が装着されるようになっている。左右の前脚１２の総幅すなわち離間幅は、後脚１１の離間幅よりも狭くなっている。また、後脚１１と接続する付近の部位である前脚１２の上端部は、内方側から外側方に向かって湾曲した形状をなしている。
【００２４】
左右の前脚１２は、上部側が下部側よりも後側に位置するように後傾した態様で上下方向に延びてなるものであり、これら左右の前脚１２に前記第一の横架材１３及び第二の横架材１４が連結されている。
【００２５】
第一の横架材１３は、正面視において上向き凸状をなすように形成されたものであり、その左右方向中間部に左右方向に水平に延びる水平部１３１を備えている。水平部１３１は、使用位置（Ｕ）にある座４の下面、より具体的には、使用位置（Ｕ）にある座４における座裏カバー４４の下面に添接するものであり、当該座４を下方から受け止めるようになっている。
【００２６】
第二の横架材１４は、左右両端部に配され座４を枢支する軸部を構成する枢支部１４１と、これら左右の枢支部１４１の間に配され正面視において下方に向けて湾曲した形状をなす中間部１４２とを備えている。中間部１４２は、下方に向けて凸をなすように湾曲しており、その上には座板４２が着座者の荷重を受けた際に下方に向かって撓み得るための撓み許容空間ｓｐを有している。なお、前脚１１には左右の枢支部１４１のみを設け、中間部１４２が無いものとしてもよい。すなわち、枢支部１４１は、少なくとも座４を回転支持し得る部位を備えていればよく、左右に分断されてこれら左右間がつながっていないものであってもよい。
【００２７】
次いで、支持体である肘掛け２について説明する。
【００２８】
肘掛け２は、背凭れ３を脚フレーム１に支持させるものである。すなわち、肘掛け２は、前端部を上下方向に延びる取付部２３を介して脚フレーム１における後脚１１の上部に支持させるとともに後端部を後述する背板３１の張り出し部３１２に接続した主支持部材２１と、この主支持部材２１の下側に離間させて設けられ前端部を前記取付部２３を介して前記脚フレーム１に支持させるとともに後端部を前記張り出し部３１２に接続した補助支持部材２２とを備えている。この実施形態では、肘掛け２と後述する背板３１とが合成樹脂により一体に形成されている。
【００２９】
主支持部材２１は、上面に肘当て面２１ｓを有したものであり、前後方向に延びる矩形棒状のものである。主支持部材２１は、補助支持部材２２と協働して背板３１を支持する役割を担う。主支持部材２１の前端部は後脚１１に装着される取付部２３の上部に一体に連設されている。主支持部材２１の後端は前記背板３１の張り出し部３１２に一体に連設されている。主支持部材２１は、側面視において後部側が前部側よりも上に位置するように略水平から若干前傾した姿勢をなしている。主支持部材２１の前端部２１１は、前方に向かって取付部２３の前側の外面２３ｓよりも前側に突出した形状をなしており、着座者が手を掛け易い形状になっている。
【００３０】
補助支持部材２２は、前後方向に延びる矩形棒状のものであり、主支持部材２１と協働して背板３１を支持する役割を担うものである。補助支持部材２２の前端は、前記取付部２３の下部に一体に連設されている。補助支持部材２２の後端は、前記背板３１の張り出し部３１２に一体に連設されている。補助支持部材２２は、側面視において主支持部材２１よりも後部側が前部側よりも上に位置するように前傾した姿勢をなしている。
【００３１】
主支持部材２１と補助支持部材２２は、互いに離れた位置に配されており、且つ、側面視において平行にならない態様で配されている。換言すれば、肘掛け２は、主支持部材２１と補助支持部材２２とが非平行に配されたものとなっている。また、補助支持部材２２は、主支持部材２１よりも側面視において厚肉に形成されている。つまり、肘当て面２１ｓを備えた主支持部材２１が、補助支持部材２２よりも薄肉に形成されており、見る者に対して視覚的に軽いような雰囲気を印象付け得るようになっている。補助支持部材２２は、脚フレーム１の上端部が延びる方向に対して略垂直に延びるように設けられている。換言すれば、補助支持部材２２は、後脚１１の上端部における前側面や後側面に対して略直角となる方向に延びている。
【００３２】
取付部２３は、下方に開口した円筒状のものであり、後脚１１の上端部に外嵌され、取付部２３の後部から挿通されたねじｖ１により後脚１１に対して止着されるようになっている。より具体的に言えば、後脚１１は、上端部に金属製の円柱状をなす芯材たる肘掛け接続部１１２を備えており、この肘掛け接続部１１２に対して取付部２３が包着された状態でねじｖ１により固定されている。外部に表出した後脚１１の外面１１ｓと取付部２３の外面２３ｓとは略面一になるように設定されている。また、正面視において、取付部２３の幅寸法と補助支持部材２２の幅寸法は略同じ寸法に設定されている。
【００３３】
次いで背凭れ３について説明する。
【００３４】
背凭れ３は、肘掛け２とともに合成樹脂により一体に形成された背板３１を主体に構成されたものである。背凭れ３は、側縁に張り出し部３１２を備えている。より具体的に言えば、背凭れ３は、正面視において略矩形状をなす背板本体３１１と、この背板本体３１１の側縁における上下方向中間部から外方に突出した張り出し部３１２とを備えている。
【００３５】
背板本体３１１は、平面視において後方に向けて凸をなすように湾曲するとともに側面視において前方に向けて凸をなすように湾曲した形状をなしており、左右の張り出し部３１２の上下方向中間部間に位置する部位を避けた上部領域に前後方向に貫通する複数の貫通孔３１１ａが形成されている。背板本体３１１は、下縁に下方に向けて開口する溝ｍｚを有しており、背板本体３１に対して図示しない背凭れカバーを装着する際に当該背凭れカバーの端部を保持することができるようにしてある。
【００３６】
張り出し部３１２は、背板本体３１１の両側縁における中間部から外方に突出した片状の部位を主体に構成されており、着座者の腰に対応する高さ位置に設けられている。張り出し部３１２は、上部領域３１２ａと下部領域３１２ｃとこれら上部領域３１２ａと下部領域３１２ｃとの間に位置する中部領域３１２ｂとを備えている。そして、肘掛け２における主支持部材２１の後端部は、張り出し部３１２の上部領域３１２ａに連設されており、肘掛け２における補助支持部材２２の後端部は、張り出し部３１２の下部領域３１２ｃに連設されている。張り出し部３１２の上端面３１２ｓはなだらかな曲面状をなしており、前端部において肘掛け２における主支持部材２１の肘当て面２１ｓと面一に連続するとともに後端部において背板本体３１１の側端面３１１ｓと面一に連続するようになっている。
【００３７】
続いて座４について説明する。
【００３８】
座４は、パイプ材を主体に構成された座支持フレーム４１と、この座支持フレーム４１上に配された座板４２と、この座板４２の上面側を被覆する被覆部材４３と、前記座支持フレーム４１の主要部分及び座板４２の裏側を下方からカバーするための座裏カバー４４とを備えたものである。
【００３９】
座支持フレーム４１は、左右に対向するとともに前記脚フレーム１に対して上下方向に回転可能な左右のフレームたる側枠部材４１１ａを有したものであり、この実施形態では四角枠状をなしている。これら左右のフレームたる側枠部材４１１ａは、座４が使用位置（Ｕ）にある状態で脚フレーム１に軸保持部材ｗを介して間接的に支持されて略水平の姿勢をとるものである。座支持フレーム４１は、環状をなす座支持フレーム本体４１１と、この座支持フレーム本体４１１の側枠部材４１１ａ間に架設された横架材たる座横架材４１２とを備えたものである。
【００４０】
座支持フレーム本体４１１は、座板４２の側部の下面を下方から支持する側枠部材４１１ａと、これら側枠部材４１１ａの前端部間を接続する前枠部材４１１ｂと、前記側枠部材４１１ａの後端部間を接続する後枠部材４１１ｃとを備えたものであり、金属製の丸形パイプ材を用いて環状に構成されている。つまり、座支持フレーム本体４１１は、後述する座板４２の変形領域ｘに対応する部分に曲面を有したパイプ状のものである。側枠部材４１１ａの後部には、第二の横架材１４の枢支部１４１に対して回動可能に係わり合う軸保持部材ｗが下方に突出して設けられている。
【００４１】
座横架材４１２は、扁平のパイプ材により形成されたものであり、下方に向けて凸をなす形状をなしている。換言すれば、左右の側枠部材４１１ａは、左右方向に延び前記座板４２が下方に向かって撓むことが可能な撓み空間を形成するべく下方に迂回するように湾曲又は屈曲した横架材たる座横架材４１２によって連結されている。座横架材４１２の上には、着座者の荷重を受けた際に、前記座板４２が下方に撓むのを許容し得る空間である撓み許容空間ｓｐが形成されている。座横架材４１２は、その左右方向中間部に左右方向に水平に延びる水平部４１２ａを備えている。水平部４１２ａは、座４が使用位置（Ｕ）にある状態で、座裏カバー４４を介して脚フレーム１における第一の横架材１３の水平部１３１の真上に位置するようになっている。換言すれば、座裏カバー４４は、座４が使用位置（Ｕ）にある状態で、脚フレーム１の第一の横架材１３と座支持フレーム４１の座横架材４１２とによって挟まれる構造をなしている。
【００４２】
なお、座支持フレーム４１１は、左右の側枠部材４１１ａを座横架材４１２で接続するだけの形状としてもよい。換言すれば、座支持フレーム４１１は、前枠部材４１１ｂ及び後枠部材４１１ｃを省略し、例えば、平面視略Ｈ字状をなすものとしてもよい。
【００４３】
座板４２は、合成樹脂により形成された座板本体４２１と、この座板本体４２１の平面視における中央部に配された受圧部材たるメッシュ状の張材４２２とを備えている。座板４２は、平面視における周辺部よりも中央部が厚み方向に撓みやすい構造をなしている。なお、この実施形態における前記中央部は受圧部材たる張材４２２が配されており、前記周辺部は、座板本体４２１が配されている。
【００４４】
座板本体４２１は、平面視における中央部が開口した形状をなしている。すなわち、座板本体４２１は、前記座支持フレーム４１に係わり合う座板端縁部４２１ａとこの座板端縁部４２１ａの内側に位置する窓部４２１ｂとを備えたものである。
【００４５】
座板端縁部４２１ａは、平面視において前記座支持フレーム４１の座支持フレーム本体４１１と重なる位置に配され着座者の荷重を受けた際に前記座支持フレーム本体４１１の外面に沿って下方に弾性変形し得る変形領域ｘと、この変形領域ｘの外側に配され前記座支持フレーム本体４１１を保持するフレーム係合領域ｙと、このフレーム係合領域ｙの外側に設けられた延出領域ｚとを備えている。変形領域ｘは座支持フレーム本体４１１と重なる位置、換言すれば、変形領域ｘは、座支持部フレーム本体４１１を構成するパイプ材における幅方向中間部上の位置に設けられている。この実施形態では、変形領域ｘの外側寄りの範囲が、座支持部フレーム本体４１１の少なくとも内側寄りの範囲と重なっている。
【００４６】
変形領域ｘは、前記座支持フレーム本体４１１に沿って環状に形成されている。変形領域ｘは、座板端縁部４２１ａにおける他の領域よりも厚み方向に撓み易い構造をなしている。この実施形態では、変形領域ｘは、所定の間隔で形成された複数の貫通孔ｘ１を備えており、隣り合う貫通孔ｘ１間に帯状部ｘ２が形成されるようになっている。帯状部ｘ２は平面視において、座支持フレーム本体４１１の真上にも位置しており、着座者の荷重が座板４２の中心部分に作用した際に、座支持フレーム本体４１１の外面に沿うような変形が惹起されるようになっている。
【００４７】
フレーム係合領域ｙは、前記座支持フレーム本体４１１の外側に沿うリブｙ１と、このリブｙ１の基端部が接続する略水平板状をなす板状部分ｙ２とを備えている。このリブｙ１は、前記座板４２の周辺部４２１ａに形成されるものであり座裏カバー４４方向に延びるように突設された壁状のものである。この実施形態ではリブｙ１は、環状をなす座支持フレーム本体４１１の全周に亘って外側に沿うように設けられている。すなわち、リブｙ１は、座板４２の上面の一部を形成する水平板状をなした板状部分ｙ２から略直角に下方に向かって立設されている。フレーム係合領域ｙは、前記板状部分ｙ２及びリブｙ１により少なくとも断面視Ｌ字状の部位を備えており、座支持フレーム本体４１１の上側と外側を部分的に覆い得るように配されており、且つ、着座者の荷重を受けた際に、座支持フレーム本体４１１に対して摺接して相対移動できるようになっている。
【００４８】
延出領域ｚは、フレーム係合領域ｙにおけるリブｙ１の外側に延出して設けられたものであり、座板４２の周端縁ｚ１を有している。延出領域ｚは、板状の部材により構成された環状すなわち四角枠状の部分であり、変形領域ｘよりも剛性を有したものとなっている。
【００４９】
なお、座板４２は、ねじｖ２により座支持フレーム本体４１１に取り付けられている。より具体的には、座板４２は、リブｙ１を通過したねじｖ２を座支持フレーム４１の後枠部材４１１ｃに螺合することにより座支持時フレーム４１に取り付けられている。座板４２は、リブｙ１の内側に環状の座支持フレーム本体４１１を近接した状態で配するとともに、座支持フレーム４１１の後枠部材４１１ｃにのみねじｖ２によりねじ止めされているため、座支持フレーム４１１に対して座板４２が着座者の荷重を受けた際に相対移動し得るようになっている。
【００５０】
受圧部材たる張材４２２は、座板４２の平面視における中央部に位置するものであり、前記座板本体４２１の窓部４２１ｂに配され着座者からの荷重を受けるものである。張材４２２は、着座者の荷重を受けた際に下方に大きく撓みやすいものであり、この実施形態では、メッシュ状のものが採用されている。張材４２２は、座板本体４２１に対して熱溶着により止着されている。なお、座板４２は種々の方法により形成することができるものであり、例えば、座板４２全体を形成する段階でその構成部位である張材４２２を金型に投入するようにしてもよい。また、張材４２２は、種々のものを適用することができるものであるが、図１０及び図１１では、説明の便宜上、他の部位と区別し易いように網目を大きめにしたものを表示している。
【００５１】
被覆部材４３は、座板４２を上側から覆うものであり、伸縮性のある張地４３１と、この張地４３１の下側に配された比較的肉厚の薄いクッション材４３２とを備えている。被覆部材４３は、座板本体４２１や張材４２２の上面を被覆して外観を整える役割を担っている。
【００５２】
座裏カバー４４は、下方に膨らんだ形状をなした合成樹脂製のシェル状のものであり、座板４２の下面を覆うものである。この実施形態では、座裏カバー４４は、座板４２の周縁を除く下面部分と、座支持フレーム４１と、脚フレーム１における第二の横架材１４の中間部１４２を下方から覆っているものである。座裏カバー４４は、その外周縁に前記座板４２方向に延びる起立壁４４２を備えている。より詳しく言えば、座裏カバー４４は、下方に膨らんだ形状をなす座裏カバー本体４４１と、この座裏カバー本体４４１の周縁部に連続して設けられた起立壁４４２とを備えたものである。座裏カバー４４は、少なくともその平面視における中間部が、座板４２の対応する中間部と、離間して配されている。より具体的に言えば、座裏カバー４４の中間部と座板４２の中間部とは、座板４２の厚み方向への撓みを許容するための撓み空間ｓｐを隔てて離間して配されている。
【００５３】
座裏カバー本体４４１は、前後方向中間部における上面側に座横架材４１２が配される位置決め凹部４４１ａを備えるとともに左右の側部に軸保持部材ｗを配するための凹み部４４１ｃを備えている。また、座裏カバー本体４４１は、下面側に脚フレーム１における連結部材たる第一の横架材１３が当接し得る横架材当接部４４１ｄを備えるとともに第一の横架材１３の前後すなわち前記横架材当接部４４１ｄの前後に突条４４１ｂを配している。
【００５４】
この座裏カバー４４は、座板４２に立設されたリブｙ１の外側に前記起立壁４４２を位置させた状態で前記座板４２に対して適宜の方法で取り付けられている。その一例としては、座裏カバー４４の起立壁４４２には図示しない鉤状のフックが上方に向かって突設されており、このフックを座板４２の対応する位置に設けられた図示しない係合孔に係わらせることにより、座裏カバー４４が座板４２に対して取り付けられるようになっている。
【００５５】
以上に説明した座４が使用位置（Ｕ）にある状態で、上から前記座横架材４１２、前記座裏カバー４４、前記脚フレームの第一の横架材１３の順序で重なるようになっている。
【００５６】
以上説明したように、本実施形態に係る椅子Ｃは、座支持フレーム４１上に座板４２を配置したものであり、前記座板４２が、前記座支持フレーム４１に係わり合う座板端縁部４２１ａを備えている。そして、座板端縁部４２１ａが、平面視において座支持フレーム４１と重なる位置に配され着座者の荷重を受けた際に座支持フレーム４１の外面に沿って下方に弾性変形し得る変形領域ｘを備えている。このため、座板４２における広い範囲に亘って弾性変形を促すための設計の自由度に優れた椅子Ｃを提供することができるものとなる。すなわち、座板４２が、平面視において座支持フレーム４１と重なる位置に配された変形領域ｘを備えているため、座支持フレーム４１の内側領域に限られず、座支持フレーム４１の直上にまで弾性変形可能な領域が延伸することになり、座板４２における弾性変形を促す部位を設けるにあたり設計の自由度に優れたものとなる。
【００５７】
前記変形領域ｘが、座板本体４２１における他の領域よりも厚み方向に撓み易い構造をなすものであるため、着座者の荷重を受けた際に好適に変形し得るものとなっている。
【００５８】
前記座支持フレーム４１が、少なくとも左右に対向する側枠部材４１１ａを備えている。このため、着座者が着座した際に、座板４２における側枠部材４１１ａ間のみならず、側枠部材４１１ａの真上の領域にも、弾性変形が惹起されるものとなる。
【００５９】
前記座板端縁部４２１ａが、前記座支持フレーム４１を保持するフレーム係合領域ｙとこのフレーム係合領域ｙの外側に設けられた延出領域ｚとを備えている。このため、延出領域ｚによって座カバー４４を取り付けるための必要な領域が確保できるのみならず、変形領域ｘを有するものにおいても好適にフレーム係合領域ｙによって座支持フレーム４１を保持し得るものとなる。
【００６０】
フレーム係合領域ｙが、前記座支持フレーム４１１の外側に沿うリブｙ１を備えている。そして、このリブｙ１の外側に前記延出領域ｚが設けられているとともにリブｙ１の内側に変形領域ｘが設けられている。このため、リブｙ１を境界として、内側が弾性変形が惹起され易い部位となるとともに外側が剛性に優れた部位となり、機能の異なる部位をリブｙ１を介して好適に配することができるものとなっている。
【００６１】
前記座支持フレーム４１が、環状をなす座支持フレーム本体４１１を備えている。そして、変形領域ｘが、環状をなす座支持フレーム本体４１１に沿って環状に形成されたものである。このため、座板４２の全周囲に亘って、変形領域ｘを配することができるものとなり、着座者に好適なクッション性を付与し得るものとなる。
【００６２】
座支持フレーム本体４１１が、前記変形領域ｘに対応する部分に曲面を有したパイプ状のものである。このため、着座者の荷重を受けた際に、変形領域ｘが下方に移動して撓む際に、変形領域ｘが曲面に沿うように弾性変形し得るものとなる。
【００６３】
前記座板４２が、前記座板端縁部４２１ａとこの座板端縁部４２１ａの内側に位置する窓部４２１ｂとを備えた座板本体４２１と、この座板本体４２１の窓部４２１ｂに配され着座者からの荷重を受ける受圧部材４２２とを備えたものである。このため、受圧部材４２２と座板本体４２１とが協働して、着座者の荷重に応じて座板４２の中央部が大きく弾性変形し得る構成を提供することができるものとなっている。
【００６４】
変形領域ｘが、座支持フレーム４１の曲面に沿って撓むものである。このため、座板本体４２１における硬質のフレーム保持領域ｙと、その内側に位置する中間的な変形領域ｘと、柔軟な受圧部材たる張材４２２とが各々滑らかに連続して変形するようになるため、着座者に違和感を与えないものとなる。
【００６５】
なお、本発明は、以上に詳述した実施形態に限られるものではない。
【００６６】
椅子は、座支持フレーム上に座板を配置したものであればよく、本実施形態に示されるようなものに限定されるのものではない。椅子は、いわゆるパイプ椅子と称される種類のもの以外にも、オフィス等において好適に使用される事務用回転椅子に適用されたものであってもよい。
【００６７】
座板と座支持フレームとは直接的に係わり合うものに限られず、何らかの部材を介して間接的に係わり合うものであってもよい。
【００６８】
座支持フレームは、丸形パイプ状のものに限られたもので無いことは明らかである。例えば、硬質樹脂等によって、座支持フレームにおける座板を支持するための曲面部分を特殊な形状に成型してもよい。
【００６９】
変形領域は、厚み方向に撓み易い構造をなすものであればどのような構造のものであってもよく、上述した実施形態に示すものには限定されるものではない。変形領域における貫通孔の形状は種々の形状を採用することができ、その形状に応じて帯状部の形状も種々の形状に形成されるものである。例えば、変形領域は、丸孔を複数設けることによって、厚み方向に撓み易く構成するようにしたものであってもよいし、ゴム状の素材を適用してそれ自体が伸縮することで厚み方向に撓み易く構成するようにしたものであってもよいし、網状の部材を適用することによって厚み方向に撓み易く構成するようにしたものであってもよい。座板を、これら例示したものや、上述した実施形態に示すものを適宜組み合わせたものとしてもよい。換言すれば、変形領域は、いわゆる多様な樹脂メッシュ状の部材を適用することもできるし、メッシュ状のシート体を適用することもできるし、その他の伸縮性のある素材を適用した部材を適用することもできるものである。
【００７０】
座支持フレームは、少なくとも左右に対向する側枠部材を備えたものであればよく、上述した実施形態に示すような環状ないし枠状のものに限定されるものではない。
【００７１】
上述した実施形態では、座板を、座板本体と、この座板本体の窓部に設けられた受圧部材とを備えた構成としていたが、このようなものに限定されるものではない。例えば、座板を、座板本体を主体に構成したものとしてもよい。この場合は、着座者の着座時における座板本体における中央部の弾性変形を促進するために、いわゆる樹脂メッシュと称される種々の形状をなす穿孔部とこれら複数の穿孔部により形成された帯状部とを配したものを適用することが好ましい。
【００７２】
受圧部材は、種々の張材を適用することができるのは言うまでもない。例えば、受圧部材は、必ずしも伸縮性のあるメッシュ状のものを適用する必要はなく、比較的伸縮性の低いシート材を適用してもよい。このようにすれば、座板がいわゆるトランポリン状に作用する構造となり、座板本体の変形領域が主体となって座板のクッション性を付与し得るものとなる。
【００７３】
その他、各部の具体的構成についても上記実施形態に限られるものではなく、本発明の趣旨を逸脱しない範囲で種々変形が可能である。
【符号の説明】
【００７４】
１…脚フレーム
４１…座支持フレーム
４２…座板
４１１…座支持フレーム本体
４１１ａ…側枠部材
４２１…座板本体
４２１ａ…座板端縁部
４２１ｂ…窓部
４２２…張材（受圧部材）
ｘ…変形領域
ｙ…フレーム係合領域
ｙ１…リブ
ｚ…延出領域
【図１】
0006436749.tif 000002
【図２】
0006436749.tif 000003
【図３】
0006436749.tif 000004
【図４】
0006436749.tif 000005
【図５】
0006436749.tif 000006
【図６】
0006436749.tif 000007
【図７】
0006436749.tif 000008
【図８】
0006436749.tif 000009
【図９】
0006436749.tif 000010
【図１０】
0006436749.tif 000011
【図１１】
0006436749.tif 000012